(57)【要約】      （修正有）【課題】少ない部品点数で、紙葉類を複数領域に区分して収納できるとともに、紙葉類を確実に収納し落下に伴う汚損や紛失から保護することを実現できるホルダを提供する。【解決手段】１枚のシートを折り曲げて形成し底辺近傍を互いに止着した表表紙１及び裏表紙２と、前記表表紙１と前記裏表紙２との間に同一のシートを折り曲げて形成し底辺近傍を前記表表紙１及び前記裏表紙２の底辺近傍に止着した第１及び第２中仕切り３、４と、前記表表紙１又は裏表紙２と前記中仕切り３、４との間に形成した複数の収納領域Ｓ１、Ｓ２、Ｓ３とを具備し、前記複数の収納領域Ｓ１、Ｓ２、Ｓ３のうち、第２の収納領域Ｓ２が上辺のみを開放した袋状の領域であるホルダＦを用意する。【選択図】図３
0003112845.tif 000002
【実用新案登録請求の範囲】
【請求項１】
１枚のシートを折り曲げて形成し底辺近傍を互いに止着した表表紙及び裏表紙と、前記表表紙と前記裏表紙との間に前記表表紙及び裏表紙を形成するものと同一のシートを折り曲げて形成し底辺近傍を前記表表紙及び前記裏表紙の底辺近傍に止着した少なくとも１つの中仕切りと、前記表表紙又は裏表紙と前記中仕切りとの間に形成した複数の収納領域とを具備し、前記複数の収納領域のうち、少なくとも１つが上辺のみを開放した袋状の領域であることを特徴とするホルダ。
【請求項２】
前記複数の収納領域のうち、少なくとも１つが二辺を開放した領域であることを特徴とする請求項１記載のホルダ。
【請求項３】
前記中仕切りを複数設けているとともに、中仕切り間にさらに収納領域を具備することを特徴とする請求項１又は２記載のホルダ。
【請求項４】
前記袋状の収納領域の一部を外部に開放する切り欠き部を有することを特徴とする請求項１、２又は３記載のホルダ。
【請求項５】
前記複数の収納領域のいずれかを外部に露出させるべく案内する案内部を具備することを特徴とする請求項１、２、３又は４記載のホルダ。
【考案の詳細な説明】
【技術分野】
【０００１】
本発明は、内部に紙葉類を保持する機能を有するホルダに関する。
【背景技術】
【０００２】
表表紙及び裏表紙を有するとともに、内部、すなわち表表紙と裏表紙との間に紙葉類を保持する収納領域を有するホルダは、広く用いられている。
【０００３】
このようなホルダは、１枚のシートを２つ折りにして形成した表表紙及び裏表紙と、これら表表紙及び裏表紙の底辺を互いに止着して形成した止着部と、表表紙と裏表紙との間に形成した収納領域とを具備しているとともに、収納領域の上辺及び一側辺を開放しているものが多い。（例えば、特許文献１を参照。）
【特許文献１】特開２００２−１２７６５９号公報
【考案の開示】
【考案が解決しようとする課題】
【０００４】
しかして、このようなホルダの内部に収納した紙葉類を、印刷ないし筆記された内容等により区分する要望が存在するが、特許文献１に示すホルダの収納部は、全体が連続したひとつながりの空間であるので、別途区分を行うためのしおり等を用意する必要がある。そして、このようなしおり等を用意しなくとも、紙葉類を印刷ないし筆記された内容等により区分してホルダに収納できるようにする要望が存在する。
【０００５】
また、特許文献１に示すようなホルダの収納部は、紙葉類の上方及び側方に開口しているが、このような構成では、ホルダに紙葉類を収納して持ち運ぶ際に、ホルダが傾くと開口が下方を向き、紙葉類が落下してしまう不具合が発生しうる。
【０００６】
紙葉類が落下してしまう不具合を防ぐための態様としては、裏表紙に連続して設けられ表表紙に重合可能な蓋部と、この蓋部と表表紙との間に設けられ蓋部を表表紙に止着する止着部を設けるものが考えられる。しかし、このような構成を採用すると、止着部を形成するボタンや面ファスナー等の部品を新たに用意する必要があり、このような部品を取り付ける手間も必要となる。
【０００７】
本考案は、以上に述べた課題を解決するものである。
【課題を解決するための手段】
【０００８】
すなわち本考案に係るホルダは、１枚のシートを折り曲げて形成した表表紙及び裏表紙と、前記表表紙と前記裏表紙との間に前記表表紙及び裏表紙を形成するものと同一のシートを折り曲げて形成し底辺近傍を前記表表紙及び前記裏表紙の底辺近傍に止着した少なくとも１つの中仕切りと、前記表表紙又は裏表紙と前記中仕切りとの間に形成した複数の収納領域とを具備し、前記複数の収納領域のうち、少なくとも１つが上辺のみを開放した袋状の領域であることを特徴とする。
【０００９】
このように構成すれば、１枚のシートを折り曲げて複数の収納領域を形成できるので、しおり等の特別な部材を用意することなく、紙葉類を印刷ないし筆記された内容等により、複数の収納領域に区分してホルダに収納できる。しかも、袋状の領域に収納した紙葉類は、この領域の開口を略鉛直下方に向けない限り落下しないので、特別な部材を追加することなく、紙葉類を落下に伴う汚損や紛失から保護することができるようになる。
【００１０】
前段で述べたような効果を確保しつつ、従来のホルダと同様の使いやすさを得るための構成として、前記複数の収納領域のうち、少なくとも１つが二辺を開放した領域であるものが挙げられる。このようなものであれば、特に紛失又は汚損しては困る書類は袋状の領域に収納しつつ、通常の書類は二辺を開放した領域に収納するようにして、通常の書類の出し入れは従来のホルダと同様に行うようにすることができるからである。
【００１１】
紙葉類をより多くの区分に分類して収納できるようにするための構成として、前記中仕切りを複数設けているとともに、中仕切り間にさらに収納領域を具備するものが挙げられる。
【００１２】
また、前記袋状の収納領域に対する書類の出し入れを容易に行えるようにするための構成として、前記袋状の収納領域の一部を外部に開放する切り欠き部を有するものが挙げられる。このようなものであれば、この切り欠き部を介して書類を前記袋状の収納領域に出し入れできるからである。
【００１３】
さらに、前記複数の収納領域それぞれに対する書類の出し入れを容易に行えるようにするための構成として、前記複数の収納領域のいずれかを外部に露出させるべく案内する案内部を具備するものが挙げられる。
【００１４】
なお、本発明では、「ホルダの上方」とは、ホルダの底辺から該ホルダの底辺と反対側に向かう方向を、また、「ホルダの内側」とは、表表紙と裏表紙との境界をなす折り曲げ線が形成するホルダの端縁側を、さらに、「ホルダの外側」とは、前記ホルダの内側と反対側をそれぞれ示す概念である。また、表表紙、裏表紙、及び中仕切りの「上方、内側、及び外側」は、前記ホルダの「上方、内側、及び外側」に対応する方向をそれぞれ示す概念である。
【考案の効果】
【００１５】
本考案に係るホルダの構成を採用すれば、１枚のシートを折り曲げて複数の収納領域を形成できるので、しおり等の特別な部材を用意することなく、紙葉類を印刷ないし筆記された内容等により、複数の収納領域とに区分してホルダに収納できる。しかも、袋状の領域に収納した紙葉類は、この領域の開口を略鉛直下方に向けない限り落下しないので、特別な部材を追加することなく、紙葉類を落下に伴う汚損や紛失から保護することができるようになる。
【考案を実施するための最良の形態】
【００１６】
以下、本考案の第一実施形態を、図面を参照して説明する。
【００１７】
本実施形態に係るホルダＦは、図１に斜視図、図２に正面図、図３に概略平面図をそれぞれ示すように、表表紙１と、裏表紙２と、裏表紙２から連設した第１の中仕切り３と、第１の中仕切り３から連設した第２の中仕切り４と、表表紙１と第２の中仕切り４との間に形成した第１の収納領域Ｓ１と、第２の中仕切り４と第１の中仕切り２との間に形成した第３の収納領域Ｓ３と、裏表紙２と第１の中仕切り３との間に形成した第２の収納領域Ｓ２とを有する。
【００１８】
しかして本実施形態では、前記図１及び図３に示すように、前記第２の収納領域Ｓ２が上辺のみを開放した袋状の領域であるとともに、前記第１の収納領域Ｓ１及び前記第３の収納領域Ｓ３は、上辺及び外側辺を開放した領域である。
【００１９】
さらに、前記第２の収納領域Ｓ２には、その一部、本実施形態では上部を外部に開放する切り欠き部Ｓ２ｘを設けている。
【００２０】
加えて、このホルダＦには、前記第１の収納領域Ｓ１に紙葉類を収納すべく案内する第１の案内部Ｇ１、及び前記第２の収納領域Ｓ２に紙葉類を収納すべく案内する第２の案内部Ｇ２を形成している。前記第１の案内部Ｇ１は、本実施形態では、前記表表紙１の外側縁の上部に形成した半円形の第１の案内切り欠き１ｘを利用して形成している。前記第２の案内部Ｇ２は、本実施形態では、前記表表紙１及び前記第２の中仕切り４の外側縁における前記の第１案内部Ｇ１から下方に離間した位置に重合させて形成した半円形の第２の案内切り欠き１ｙ、４ｙを利用して形成している。そして、前記第１の案内部Ｇ１を押さえて表表紙Ｇ１をめくることにより前記第１の収納領域Ｓ１が、前記第２の案内部Ｇ２を押さえて表表紙１及び第２の中仕切り４を一度にめくることにより前記第２の収納領域Ｓ２が、それぞれ外部に露出するようにしている。なお、第１の案内部Ｇ１及び第２の案内部Ｇ２は、半円形の切り欠き以外を利用して形成してもよい。すなわち、矩形や三角形等、半円形以外の形状の切り欠きを利用して形成してもよく、また、表表紙１及び第２の中仕切り４の外側縁のそれぞれ異なる部位を外方に突出させて形成してもよい。
【００２１】
このホルダＦは、以上に述べたような構成にすべく、以下に述べる方法により形成される。
【００２２】
まず、１枚の樹脂製シートＳＴを図４の（ａ）に示すような形状に打ち抜く。次いで、このシートＳＴを、いわゆる巻き四つ折りする。具体的には、まず、このシートＳＴの表表紙１及び裏表紙２となるべき領域と、このシートＳＴの第１の中仕切り３及び第２の中仕切り４となるべき領域とを重合させるようにこのシートＳＴの幅方向中央に位置する第１折り曲げ線Ｌ１で折り曲げる。前記第１折り曲げ線Ｌ１は、この実施形態では、山折りする。このようにして、このシートを、同図の（ｂ）に示す状態にする。その後、このシートＳＴの第１の中仕きり３となるべき領域と第２の中仕きり４となるべき領域とを対向させるように第２折り曲げ線Ｌ２で折り曲げる。すなわち第２折り曲げ線Ｌ２を谷折りする。このとき、表表紙１となるべき領域と裏表紙２となるべき領域との境界に位置する第３折り曲げ線Ｌ３も同時に折り曲げる。このようにして、前記表表紙１、裏表紙２、第１の中仕切り３、及び第２の中仕切り４を形成している。
【００２３】
そして、これら表表紙１、裏表紙２、第１の中仕切り３、及び第２の中仕切り４の底辺近傍の部位を全て重合させた状態で互いに止着して底辺止着部ｘを形成し、このホルダＦを形成するようにしている。なお、底辺止着部ｘの形成は、本実施形態では溶着により行うようにしている。
【００２４】
このようにしてホルダＦを形成することにより、前記図１及び図３に示すように、第１折り曲げ線Ｌ１が裏表紙２及び第１の中仕切り３の外側辺となり、次いで第２折り線Ｌ２が第１の中仕切り３、第３折り線Ｌ３が裏表紙２のそれぞれ内側辺となり、これら第２折り線Ｌ２及び第３折り線Ｌ３はいずれもホルダＦの内側辺に位置するので、これら裏表紙２及び第１の中仕切り３の間に形成される第２の収納領域Ｓ２は、上辺のみを開放した袋状の領域となる。一方、第２折り線Ｌ２は第２の中仕切り４の内側辺でもあり、また、第３折り線Ｌ３は表表紙１の内側辺でもあり、さらに、前記シートＳＴの両側端は表表紙１及び第２の中仕切り４の外側辺となるので、表表紙１と第２の中仕切り４との間に形成される第１の収納領域Ｓ１、及び第２の中仕切り４と第１の中仕切り２との間に形成した第３の収納領域Ｓ３は、上辺及び外側辺を開放した領域、すなわち従来のホルダと収納領域と同様の構成の収納領域となる。
【００２５】
また、本実施形態では、第１の中仕切り３の上部を切り欠いていて、この切り欠きを利用して、前記第２の収納領域Ｓ２の一部、すなわち本実施形態では上部の前記切り欠きに対応する部分をこの第２の収納領域Ｓ２の外部に開放する切り欠き部Ｓ２ｘを設けている。
【００２６】
このように第１〜第３の収納領域Ｓ１〜Ｓ３を形成することにより、このホルダＦに、紙葉類を、しおり等の特別な部材を用意することなく、印刷ないし筆記された内容等により、これら第１〜第３の収納領域Ｓ１〜Ｓ３に区分して収納できる。
【００２７】
特に、第２の収納領域Ｓ２は、上辺のみを開放した袋状の領域であるので、第２の収納領域Ｓ２に収納した紙葉類は、ホルダＦを１８０度近く面方向に回転させない限り落下しないので、新たな部品を別途用意することなくこの紙葉類を落下に伴う汚損や紛失から保護することができる。
【００２８】
一方、第１及び第３の収納領域Ｓ１、Ｓ３は、上辺及び外側辺を開放した領域、すなわち従来のホルダと収納領域と同様の構成の収納領域であるので、これら第１及び第３の収納領域Ｓ１、Ｓ３には、通常のホルダと同様の操作により紙葉類を収納できる。
【００２９】
そして、前記第２の収納領域Ｓ２には、前記切り欠き部Ｓ２ｘを設けているので、この切り欠き部Ｓ２ｘを介して紙葉類を前記袋状の収納領域に出し入れでき、袋状をなす第２の収納領域Ｓ２に対する紙葉類の出し入れを容易に行うことができる。
【００３０】
加えて、前記第１の収納領域Ｓ１に紙葉類を収納すべく案内する第１の案内部Ｇ１、及び前記第３の収納領域Ｓ３に紙葉類を収納すべく案内する第２の案内部Ｇ２を形成しているので、前述したように、前記第１の収納領域Ｓ１に紙葉類を出し入れする際には第１の案内部Ｇ１に指等を掛けて表表紙１をめくることにより前記第１の収納領域Ｓ１を、前記第３の収納領域Ｓ３に紙葉類を出し入れする際には第２の案内部Ｇ２に指等を掛けて表表紙１及び第２の中仕切り４を一度にめくることにより前記第３の収納領域Ｓ３を外部に露出できる。すなわち、前記第１及び第３の収納領域Ｓ１、Ｓ３それぞれに対する紙葉類の出し入れを容易に行えるようにすることができる。
【００３１】
次に、本発明の第二実施形態を図面を参照して説明する。
【００３２】
本実施形態に係るホルダＦ２は、図５に斜視図、図６に正面図、図７に概略平面図をそれぞれ示すように、表表紙１Ａと、裏表紙２Ａと、裏表紙２Ａから連設した第１の中仕切り３Ａと、表表紙１Ａから連設した第２の中仕切り４Ａと、表表紙１Ａと第２の中仕切り４Ａとの間に形成した第１の収納領域Ｓ１Ａと、第２の中仕切り４Ａと第１の中仕切り３Ａとの間に形成した第３の収納領域Ｓ３Ａと、裏表紙２Ａと第１の中仕切り３Ａとの間に形成した第２の収納領域Ｓ２Ａとを有する。
【００３３】
しかして本実施形態では、前記図５及び図７に示すように、前記第１、第２の収納領域Ｓ１Ａ、Ｓ２Ａが上辺のみを開放した袋状の領域であるとともに、前記第３の収納領域Ｓ３Ａは、上辺及び外側辺を開放した領域である。
【００３４】
さらに、前記第１、第２の収納領域Ｓ１Ａ、Ｓ２Ａには、その一部、本実施形態では上部を外部に開放する切り欠き部Ｓ１ｘＡ、Ｓ２ｘＡをそれぞれ設けている。
【００３５】
このホルダＦ２は、以上に述べたような構成にすべく、以下に述べる方法により形成される。
【００３６】
まず、１枚の樹脂製シートＳＴ２を、図８の（ａ）に示すような形状に打ち抜く。次いで、このシートＳＴ２を、いわゆる観音四つ折りする。具体的には、両側端からこのシートＳＴ２の幅寸法ｄの４分の１ずつそれぞれ変位した位置に位置する第１折り曲げ線Ｌ１Ａを、このシートＳＴ２の両側端が対向するように折り曲げる。すなわち前記第１折り曲げ線Ｌ１Ａを山折りして同図の（ｂ）に示すような状態にし、このシートＳＴ２の両端部を第２の中仕切り４Ａ及び第１の中仕切り３Ａとする。次いで、このシートＳＴ２の幅方向中央に位置する第２折り曲げ線Ｌ２Ａを、第２の中仕切り４Ａ及び第１の中仕切り３Ａが対向して内側に位置するように折り曲げて、すなわち前記第２折り曲げ線Ｌ２Ａを山折りして、この第２折り曲げ線Ｌ２Ａの両側を前記表表紙１Ａ及び裏表紙２Ａとする。
【００３７】
そして、これら表表紙１Ａ、裏表紙２Ａ、第１の中仕切り３Ａ、及び第２の中仕切り４Ａの底辺近傍の部位を全て重合させた状態で互いに止着して止着部ｘを形成し、このホルダＦ２を形成するようにしている。なお、底辺近傍の止着部ｘの形成は、本実施形態では溶着により行うようにしている。
【００３８】
このようにしてホルダＦ２を形成することにより、前記図５及び図７に示すように、第１折り曲げ線Ｌ１Ａ、Ｌ１Ａが裏表紙２Ａ及び第１の中仕切り３Ａの外側辺、及び表表紙１Ａ及び第２の中仕切り４Ａの外側辺となり、前記シートＳＴ２の両側端及び前記第２折り曲げ線Ｌ２ＡがともにホルダＦ２の内側辺を形成するので、これら表表紙１Ａ及び第１の中仕切り４Ａの間に形成される第１の収納領域Ｓ１Ａ、及び裏表紙２Ａ及び第１の中仕切り３Ａの間に形成される第２の収納領域Ｓ２Ａは、上辺のみを開放した袋状の領域となる。一方、第２の中仕切り４Ａと第１の中仕切り３Ａとの間に形成した第３の収納領域Ｓ３Ａは、上辺及び外側辺を開放した領域、すなわち従来のホルダと収納領域と同様の構成の収納領域となる。
【００３９】
また、本実施形態では、表表紙１Ａ及び第１の中仕切り３の上部を切り欠いていて、この切り欠きを利用して、前記第１及び第２の収納領域Ｓ１Ａ、Ｓ２Ａのそれぞれ一部、すなわち本実施形態では上部の前記切り欠きに対応する部分をこれら第１及び第２の収納領域Ｓ１、Ｓ２の外部にそれぞれ開放する切り欠き部Ｓ１Ａｘ、Ｓ２Ａｘを設けている。
【００４０】
そして、このように第１〜第３の収納領域Ｓ１Ａ〜Ｓ３Ａを形成することにより、このホルダＦに、紙葉類を、しおり等の特別な部材を用意することなく、印刷ないし筆記された内容等により、これら第１〜第３の収納領域Ｓ１Ａ〜Ｓ３Ａに区分して収納できる。
【００４１】
特に、第１及び第２の収納領域Ｓ１Ａ、Ｓ２Ａは、上辺のみを開放した袋状の領域であるので、紙葉類をこの第１又は第２の収納領域Ｓ１Ａ、Ｓ２Ａに収納することにより、ホルダを１８０度近く面方向に回転させない限り、新たな部品を別途用意することなくこの紙葉類が落下してしまう不具合を防ぐことができる。
【００４２】
一方、第３の収納領域Ｓ３Ａは、上辺及び外側辺を開放した領域、すなわち従来のホルダと収納領域と同様の構成の収納領域であるので、この第３の収納領域Ｓ３Ａには、通常のホルダＦと同様の操作により紙葉類を収納できる。
【００４３】
そして、前記第１及び第２の収納領域Ｓ１Ａ、Ｓ２Ａには、前記切り欠き部Ｓ１Ａｘ、Ｓ２Ａｘをそれぞれ設けているので、これらの切り欠き部Ｓ１Ａｘ、Ｓ２Ａｘをを介して紙葉類を前記袋状の収納領域である前記第１及び第２の収納領域Ｓ１Ａ、Ｓ２Ａに出し入れでき、これら第１及び第２の収納領域Ｓ１Ａ、Ｓ２Ａに対する紙葉類の出し入れを容易に行うことができる。
【００４４】
なお、本発明は以上に述べた第一、第二実施形態に限られない。
【００４５】
例えば、図９に示すような形状に打ち抜いた１枚のシートＳＴ３を三つ折りし、平面図を図１０に示すように、表表紙１Ｂ、裏表紙２Ｂ、及び中仕切り３Ｂと、表表紙１Ｂと中仕切り３Ｂとの間に形成される第１の収納領域Ｓ１Ｂと、裏表紙２Ｂと中仕切り３Ｂとの間に形成される第２の収納領域Ｓ２Ｂとを有するホルダＦ３が挙げられる。
【００４６】
このホルダＦ３は、まず、前記図９に示す第１折り曲げ線Ｌ１Ｂを山折りして裏表紙２Ｂと中仕切り３Ｂとを重合させ、次いで同図に示す第２折り曲げ線Ｌ２Ｂを山折りして表表紙１Ｂにより中仕切り３Ｂを被覆する。そして、表表紙１Ｂ、裏表紙２Ｂ、及び中仕切り３Ｂの底辺近傍を全て重合させた状態で止着して止着部ｘを形成することにより形成される。
【００４７】
このような構成であっても、紙葉類を、印刷ないし筆記された内容等により第１の収納領域Ｓ１Ｂと第２の収納領域Ｓ２Ｂとに区分して収納できるとともに、第１の収納領域Ｓ１Ｂは、上辺のみを開放した袋状の領域であり、また、第２の収納領域Ｓ２Ｂは、上辺及び外側辺を開放した領域、すなわち従来のホルダと収納領域と同様の構成の収納領域であるので、上述した第一及び第二実施形態における主要な効果を全て得ることができる。
【００４８】
さらに、中仕切りを３つ以上設け、各中仕切り間にそれぞれ収納領域を形成するようにしてもよい。
【００４９】
加えて、上辺のみを開放した袋状の収納領域の一部を外部に開放する切り欠き部は、必ずしも設けなくてもよい。この場合、該袋状の収納領域を形成する中仕切り、表表紙、又は裏表紙のいずれかの上辺に突起を設け、この突起に、厚さ方向に引く等の操作を加えることにより該収納領域の開口を拡張して該収納領域にアクセスしやすくするとよい。
【００５０】
その他、本考案の趣旨を損ねない範囲で種々に変形が可能である。
【図面の簡単な説明】
【００５１】
【図１】本考案の第一実施形態に係るホルダの斜視図。
【図２】同実施形態に係るホルダの正面図。
【図３】同実施形態に係るホルダの平面図。
【図４】同実施形態に係るホルダを形成するシートを示す図。
【図５】本考案の第二実施形態に係るホルダの斜視図。
【図６】同実施形態に係るホルダの正面図。
【図７】同実施形態に係るホルダの平面図。
【図８】同実施形態に係るホルダを形成するシートを示す図。
【図９】本考案の他の実施態様に係るホルダを形成するシートを示す図。
【図１０】同実施形態に係るホルダの平面図。
【符号の説明】
【００５２】
Ｆ、Ｆ２、Ｆ３…ホルダ
１、１Ａ、１Ｂ…表表紙
２、２Ａ、２Ｂ…裏表紙
３、３Ａ…第１の中仕切り
４、４Ａ…第２の中仕切り
３Ｂ…中仕切り
Ｓ１、Ｓ１Ａ、Ｓ１Ｂ…第１の収納領域
Ｓ２、Ｓ２Ａ、Ｓ２Ｂ…第２の収納領域
Ｓ３、Ｓ３Ａ…第３の収納領域
Ｓ２ｘ、Ｓ１Ａｘ、Ｓ２Ａｘ…切り込み部
【図１】
0003112845.tif 000003
【図２】
0003112845.tif 000004
【図３】
0003112845.tif 000005
【図４】
0003112845.tif 000006
【図５】
0003112845.tif 000007
【図６】
0003112845.tif 000008
【図７】
0003112845.tif 000009
【図８】
0003112845.tif 000010
【図９】
0003112845.tif 000011
【図１０】
0003112845.tif 000012